(57)【特許請求の範囲】
【請求項１】
取付杆と、スライド長孔を有し、下面に複数の凹凸部が形成された樋支持具本体と、係止爪を立設した受座と、回転レバーとを上下に配してこれらにピンを貫通させて連結して、上記回転レバーをアンロック位置に水平方向に回転させたときには、上記樋支持具本体を上記取付杆に対して滑動可能とする一方、上記回転レバーをロック位置に水平方向に回転させたときには上記受座を持ち上げて、上記係止爪を上記樋支持具本体の凹凸部の凹部に係止させて上記樋支持具本体を上記取付杆に圧接固定するようにした、雨樋吊り支持具において、
上記受座と上記樋支持具本体との間には滑り片部を設けた滑りバネが設けられ、上記回転レバーをロック位置に回転させた時には、上記受座の持ち上げによって、上記滑り片部を上記受座の係止爪より下方に弾性変形させる一方、上記回転レバーをアンロック位置に回転させた時には、上記受座の持ち上げ解除によって、上記滑り片部を上記受座の上方に突出させるように弾性復帰させて、上記樋支持具本体が上記取付杆に対して滑動するようにしたことを特徴とする雨樋吊り支持具。
【請求項２】
取付杆と、スライド長孔を有し、下面に複数の凹凸部が形成された樋支持具本体と、係止爪を立設した受座と、回転レバーとを上下に配してこれらにピンを貫通させて連結して、上記回転レバーをアンロック位置に水平方向に回転させたときには、上記樋支持具本体を上記取付杆に対して滑動可能とする一方、上記回転レバーをロック位置に水平方向に回転させたときには上記受座を持ち上げて、上記係止爪を上記樋支持具本体の凹凸部の凹部に係止させて上記樋支持具本体を上記取付杆に圧接固定するようにした、雨樋吊り支持具において、
上記受座には、滑り片部を設けた滑りバネが一体として設けられ、上記回転レバーをロック位置に回転させた時には、上記受座の持ち上げによって、上記滑り片部を上記受座の係止爪より下方に弾性変形させる一方、上記回転レバーをアンロック位置に回転させた時には、上記受座の持ち上げ解除によって、上記滑り片部を上記受座の上方に突出させるように弾性復帰させて、上記樋支持具本体が上記取付杆に対して滑動するようにしたことを特徴とする雨樋吊り支持具。
【発明の詳細な説明】
【０００１】
【発明の属する技術分野】
本発明は、取付杆とスライド可能に連結した樋支持具本体に複数の凹凸部を形成してあり、上記凹凸部の凹部に係脱可能な係止爪を立設した受座を、水平方向に回転させる回転レバーで持ち上げて取付杆に樋支持具本体を圧接固定するようにした雨樋吊り支持具に関する。
【０００２】
【従来の技術】
従来のこの種の雨樋吊り支持具として、例えば、図４、図５に示すものがある。
【０００３】
この雨樋吊り支持具１００は、壁等に取り付ける取付片１０１ａを有する取付杆１０１と、この取付杆１０１にスライド可能に連結され、スライド長孔１０２ａを有しその下面に複数の凹凸部１０２ｂが形成された樋支持具本体１０２と、この樋支持具本体１０２の凹部に係脱可能な係止爪１０３ａ、１０３ａが立設された受座１０３と、この受座１０３を水平方向に回転させることによって取付杆１０１に樋支持具本体１０２を持ち上げて圧接固定するための回転レバー１０４とを備えている。
【０００４】
尚、これらの部材は、カシメピン１０５とスプリングワッシャ１０６とワッシャ１０７によって図５に示すように連結されるようになっている。
【０００５】
そして、図５に示すような脱状態から回転レバー１０４を回転させると、この回転レバー１０４が長手方向に向いてその上面で受座１０３の下面の膨出部１０３ｂ、１０３ｂを押し上げると、この受座１０３が上向きに持ち上がって、その係止爪１０３ａ、１０３ａが樋支持具本体１０２の凹凸部１０２ｂの凹部に入り込んで係止され、樋支持具本体１０２がそのスライドを阻止されて固定される。
【０００６】
一方、図５（ａ）の状態では、受座１０３の係止爪１０３ａ、１０３ａが脱状態にあるので、樋支持具本体１０２はスライド可能ではあるが、樋支持具本体１０２をスライドさせると、この樋支持具本体１０２の凹凸部１０２ｂに引っ掛かる虞があり、樋支持具本体１０２をスムーズにスライドすることができないことがあるという問題があった。
【０００７】
【発明が解決しようとする課題】
本発明は、上記従来の問題に鑑みてなされたものであって、受座が脱状態のときに樋支持具本体を支障なくスムーズにスライドすることができる雨樋吊り支持具を提供することを目的としている。
【０００８】
【課題を解決するための手段】
上記課題を解決するために提案された請求項１に記載の本発明は、取付杆と、スライド長孔を有し、下面に複数の凹凸部が形成された樋支持具本体と、係止爪を立設した受座と、回転レバーとを上下に配してこれらにピンを貫通させて連結して、回転レバーをアンロック位置に水平方向に回転させたときには、樋支持具本体を上記取付杆に対して滑動可能とする一方、回転レバーをロック位置に水平方向に回転させたときには受座を持ち上げて、係止爪を樋支持具本体の凹凸部の凹部に係止させて樋支持具本体を取付杆に圧接固定するようにした、雨樋吊り支持具において、受座と上記樋支持具本体との間には滑り片部を設けた滑りバネが設けられ、回転レバーをロック位置に回転させた時には、受座の持ち上げによって、滑り片部を受座の係止爪より下方に弾性変形させる一方、回転レバーをアンロック位置に回転させた時には、受座の持ち上げ解除によって、滑り片部を受座の上方に突出させるように弾性復帰させて、樋支持具本体が上記取付杆に対して滑動するようにしている。
また、請求項２に記載の本発明は、取付杆と、スライド長孔を有し、下面に複数の凹凸部が形成された樋支持具本体と、係止爪を立設した受座と、回転レバーとを上下に配してこれらにピンを貫通させて連結して、回転レバーをアンロック位置に水平方向に回転させたときには、樋支持具本体を取付杆に対して滑動可能とする一方、回転レバーをロック位置に水平方向に回転させたときには受座を持ち上げて、係止爪を樋支持具本体の凹凸部の凹部に係止させて樋支持具本体を取付杆に圧接固定するようにした、雨樋吊り支持具において、受座には、滑り片部を設けた滑りバネが一体として設けられ、回転レバーをロック位置に回転させた時には、受座の持ち上げによって、滑り片部を受座の係止爪より下方に弾性変形させる一方、回転レバーをアンロック位置に回転させた時には、受座の持ち上げ解除によって、滑り片部を受座の上方に突出させるように弾性復帰させて、樋支持具本体が取付杆に対して滑動するようにしている。
【０００９】
本発明の雨樋吊り支持具では、回転レバーを回転すると、回転レバーの上面が受座の下面に形成した膨出部を押し上げてこの受座を持ち上げる。すると、受座の係止爪が樋支持具本体の凹凸部の凹部に入り込んで係止すると共に、滑りバネの滑り片部がバネ付勢された状態で平坦となる。
【００１０】
また、受座は樋支持具本体を持ち上げて、これを取付杆に圧接固定する。
【００１１】
一方、回転レバーをアンロック位置に回転すると、膨出部の高さ分だけ受座は下がり落ち、その係止爪の上位に突出される。そこで、このアンロック状態で、樋支持具本体を前後にスライドすれば、滑りバネの滑り片部は、樋支持具本体の凹凸部の凸部を滑動すると共に、受座の係止爪が樋支持具本体の凹凸部の凸部に当接することがなくて、樋支持具本体をスムーズにスライドできる。
【００１２】
【発明の実施の形態】
以下、本発明に係る雨樋吊り支持具の実施の形態について、図を参照しつつ説明する。
【００１３】
図１、図２に示すのは、本発明の実施形態の雨樋吊り支持具Ａを示すもので、この雨樋吊り支持具Ａは、壁等に取り付ける取付片１ａを有する取付杆１と、この取付杆１にスライド可能に連結され、スライド長孔２ａを有しその下面に複数の凹凸部２ｂが形成された樋支持具本体２と、この樋支持具本体２の凹部に係脱可能な１又は２以上の係止爪３ａ、３ａが立設され、下面に膨出部３ｂ、３ｂが形成された受座３と、この受座３と樋支持具本体２との間に介在され、中央部に爪挿入用開口４ａと、左右両端に樋支持具本体２の凹凸部２ｂの凸部にバネ付勢されて当接する湾曲状の滑り片部４ｂ、４ｂが設けられた滑りバネ４と、水平方向に回転させることによって取付杆１に樋支持具本体２を持ち上げて圧接固定するための回転レバー５とを備えている。
【００１４】
尚、これらの部材は、カシメピン６とスプリングワツシャ７及びワツシャ８によつて図２に示すように連結されるようになっている。
【００１５】
また、図１、２で示した取付杆１及び樋支持具本体２は、例示にすぎず、例えば金属帯、金属板で成形したものでも構わない。
【００１６】
そして、図２の上側に示すような脱状態から回転レバー５を回転させると、図２の下側に示すように、この回転レバー５が長手方向に向いてその上面で受座３の下面の膨出部３ｂ、３ｂを押し上げ、この受座３が上向きに持ち上がって、その係止爪３ａ、３ａが樋支持具本体２の凹凸部２ｂの凹部に入り込んで係止され、樋支持具本体２がそのスライドを阻止されて固定されと共に、滑りバネ４の滑り片部４ｂ、４ｂがバネ付勢された状態で平坦となる。
【００１７】
また、受座３は樋支持具本体２を持ち上げて、これを取付杆１に圧接固定する。一方、回転レバー４をアンロック位置に回転すると、膨出部３ｂ、３ｂの高さ分だけ受座３は下がり落ち、その係止爪３ａ、３ａの上位に突出される。そこで、このアンロック状態で、樋支持具本体２を前後にスライドすれば、滑りバネ４の滑り片部４ｂ、４ｂは、樋支持具本体２の凹凸部２ｂの凸部を滑動すると共に、受座３の係止爪３ａ、３ａが樋支持具本体２の凹凸部２ｂの凸部に当接することがなくて、樋支持具本体２をスムーズにスライドできる。
【００１８】
なお、凹凸部２ｂは、図１、２で示したものに限定されるものでなく、例えばスライド長孔２ａの側壁に形成した凹凸部２ｂや、樋支持具本体２の外面適所に形成した凹凸部２ｂなどであっても同様であり、要するに、受座３の係止爪３ａが係止できる構造であれば採用できる。
【００１９】
図３（ａ）（ｂ）に示すのは、滑り片部４ｂと受座３を一体としたそれぞれ別例を示すものであって、（ａ）は受座３０の前後両端の近傍箇所の左右両側に、バネ性を有する上向きに湾曲した４つの滑り片部４ｂを設けたものである。
【００２０】
これによると、滑りバネ４を受座３と一体化することができて、部品点数を少なくすることができる。
【００２１】
（ｂ）は滑り片部４ｂと受座３を一体に形成し、受座３１の前後両端に、上向きに湾曲した滑り片部４ｂ、４ｂを設けたものである。
【００２２】
これによっても、滑りバネ４を受座３と一体化することができて、部品点数を少なくすることができる。
【００２３】
【発明の効果】
以上説明したように、本発明によれば、受座に、回転レバーのアンロック時には、係止爪の上位に突出して樋支持具本体の凸部を滑動可能とし、回転レバーのロック時には、係止爪の下位にバネ付勢される滑り片部を備えた滑りバネを設けたものであるので、回転レバーをアンロック位置に回転すると、膨出部の高さ分だけ受座は下がり落ち、その係止爪の上位に突出され、そこで、このアンロック状態で、樋支持具本体を前後にスライドすれば、滑りバネの滑り片部は、樋支持具本体の凹凸部の凸部を滑動すると共に、受座の係止爪が樋支持具本体の凹凸部の凸部に当接することがなくて、樋支持具本体を支障なくスムーズにスライドできる効果を奏する。
【図面の簡単な説明】
【図１】  本発明の実施形態の雨樋吊り支持具を示す分解斜視図である。
【図２】  実施形態の雨樋吊り支持具におけるアンロック時とロック時の状態を示す要部の拡大縦断面図である。
【図３】  （ａ）（ｂ）は、実施形態の雨樋吊り支持具における受座のそれぞれ別例を示す斜視図である。
【図４】  従来の雨樋吊り支持具を示す分解斜視図である。
【図５】  従来の雨樋吊り支持具におけるアンロック時とロック時の状態を示す部分拡大断面図である。
【符号の説明】
Ａ        雨樋吊り支持具
１        取付杆
２        樋支持具本体
２ａ      スライド長孔
２ｂ      凹凸部
３        受座
３ａ      係止爪
３ｂ      膨出部
４        滑りバネ
４ｂ      滑り片部
５        回転レバー
３０      受座
３１      受座
【図１】
0004431253.tif 000002
【図２】
0004431253.tif 000003
【図３】
0004431253.tif 000004
【図４】
0004431253.tif 000005
【図５】
0004431253.tif 000006